(57)【要約】【課題】画像読取装置において、装置サイズの増大を抑制しつつ、原稿を搬送する駆動源となるモーターと画像読取ユニットとの熱の相互作用を低減する。【解決手段】センサーダクト吸入口１１からセンサーダクト排出口１２に向けて、上方に向かう緩やかな勾配が設けられている。これにより、センサーダクト吸入口１１から流入する空気流はＣＩＳ３ｂからの排熱により温められて、傾斜勾配に沿ってセンサーダクト排出口１２に向けて流れる。また、モーターダクト２の一端側には駆動モーター４より下方に設けられたモーターダクト吸入口２１、他端側にはモーター４より上方に設けられたモーターダクト排出口２２が配されている。これにより、駆動モーター４の直下にあるモーターダクト吸入口２１から流入する空気流は駆動モーター４からの排熱によって温められて鉛直上方への流れを生じ、上方に配されたモーターダクト排出口２２から排出される。【選択図】図９
2015041964.tif 000002
【特許請求の範囲】
【請求項１】
原稿を搬送するための駆動源となるモーターと、
原稿を読み取るための読取ユニットと、
駆動モーターを収納するモーターダクトであって、当該モーターダクトの一端側における、前記モーターより下方に位置するモーターダクト吸入口と、他端側における、前記モーターより上方に位置するモーターダクト排出口と、を有するモーターダクトと、
前記読取ユニットを収納するセンサーダクトであって、当該センサーダクトの一端側における、前記センサーより下方に位置するセンサーダクト吸入口と、他端側における前記センサーより上方に位置するセンサーダクト排出口と、を有するセンサーダクトと、
を具え、
前記センサーダクト排出口は、重力作用方向上方から下方に向かって、前記モーターダクト排出口、前記センサーダクト排出口、前記モーターダクト吸入口の配置順において、前記モーターダクトに接続されていることを特徴とする画像読取装置。
【請求項２】
前記センサーダクト排出口は、重力作用方向上方から下方に向かって、前記センサーダクト排出口、前記モーターの配置順において前記モーターダクトに接続されていることを特徴とする請求項１に記載の画像読取装置。
【請求項３】
前記センサーダクトの上面は、排出口の方向に向かって鉛直上方に傾斜を有した面であることを特徴とする請求項１または２に記載の画像読取装置。
【請求項４】
前記センサーダクト排出口に設けられた、当該センサーダクトを遮蔽可能な開閉手段と、前記開閉手段の開閉を切り換えるための切換手段をさらに具え、前記切換手段は、前記読取ユニットの駆動と非駆動の状態に応じて、前記開閉手段による開閉を切換することを特徴とする請求項１ないし３のいずれかに記載の画像読取装置。
【請求項５】
前記読取ユニットは、原稿を照射するための光源を含むことを特徴とする請求項１ないし４のいずれかに記載の画像読取装置。
【請求項６】
前記モーターを保持する部材の少なくとも一部が前記センサーダクト排出口の近傍まで延在することを特徴とする請求項１ないし５のいずれかに記載の画像読取装置。
【請求項７】
さらに記録部を具えたことを特徴とする請求項１ないし６のいずれかに記載の画像読取装置。
【請求項８】
前記画像読取装置は一端に回動軸を有し、前記記録部に対して回動可能に支持されている画像読取部の形態であることを特徴とする請求項７に記載の画像読取装置。
【請求項９】
前記センサーダクトおよび前記モーターダクトは、前記画像読取部の回動動作における接線方向に延在する部位を有することを特徴とする請求項８に記載の画像読取装置。
【請求項１０】
前記読取ユニットが読み取る原稿の面の反対側の面を読取るための読取ユニットを前記記録部においてさらに具えたことを特徴とする請求項７ないし９のいずれかに記載の画像読取装置。
【発明の詳細な説明】
【技術分野】
【０００１】
本発明は、画像読取装置に関し、詳しくは、原稿を搬送する機構や読取ユニットを備えた画像読取機構における各要素の昇温を抑制する制御に関するものである。
【背景技術】
【０００２】
画像読取装置では、原稿搬送の駆動源となるモーターや読取ユニットの光源が発する熱によって、それら自身が昇温し、また他の要素が熱の影響を受ける。このような昇温や熱の影響は、例えば、モーターのトルク低下や読取センサーの読取精度の低下をもたらすことがある。
【０００３】
特許文献１には、シートを搬送するための駆動源となる駆動モーターより上方に通気部を設けるとともにこの通気部の上面をシート搬送路とすることが記載されている。これにより、駆動モーターから発生した熱を、通気部を介して搬送されるシートに伝え、このシートが機外に排紙されることによって発生した熱を排出するようにしている。また、特許文献２には、原稿の幅に対応した範囲に延在する照明部に沿って、通気路が設けられた筒状部材を設けることが記載されている。この構成により、筒状部材の通気部に強制的に空気流を形成し照明部の温度上昇を抑制している。
【先行技術文献】
【特許文献】
【０００４】
【特許文献１】特開２００１−１１４４４９号公報
【特許文献２】特開２０１０−０６８３２３号公報
【発明の概要】
【発明が解決しようとする課題】
【０００５】
ところで、画像読取装置においては、各要素の配置構成などによっては、原稿搬送の駆動源となるモーターが発生する熱と読取ユニットの光源が発生する熱が相互に作用することがある。特に、これらの熱が読取ユニットのセンサー素子に影響を及ぼす場合は、センサー素子の読取精度が低下することがある。例えば、読取センサーを構成する複数のセンサー素子の配列方向において上記熱による温度分布が生じると、センサー素子の読取レベルが不均一になる。
【０００６】
これに対し、モーターと読取ユニットとの距離が大きくなる配置構成とすることが考えられる。しかし、この場合には、画像読取装置のサイズ増を避けることは容易でない。特許文献１のようにモーターの上部に通気部を設ける構成は、それぞれの熱を排出するための構成であり、熱の相互作用を考慮するとやはり相互の距離を大きくすることが必要となる。また、特許文献２のように、発熱源に沿った通気のための筒状部材を設ける構成は、同じく熱の相互作用を考慮すると同様に相互の距離を大きくすることが必要となる。また、筒状部材に強制的に空気流を形成するための構成は、装置全体サイズやコストの増大を招くことになる。
【０００７】
本発明の目的は、装置サイズの増大を抑制しつつ、原稿を搬送する駆動源となるモーターと画像読取ユニットとの熱の相互作用を低減することが可能な画像読取装置を提供することである。
【課題を解決するための手段】
【０００８】
そのために本発明では、画像読取装置において、原稿を搬送するための駆動源となるモーターと、原稿を読み取るための読取ユニットと、駆動モーターを収納するモーターダクトであって、当該モーターダクトの一端側における、前記モーターより下方に位置するモーターダクト吸入口と、他端側における、前記モーターより上方に位置するモーターダクト排出口と、を有するモーターダクトと、前記読取ユニットを収納するセンサーダクトであって、当該センサーダクトの一端側における、前記センサーより下方に位置するセンサーダクト吸入口と、他端側における前記センサーより上方に位置するセンサーダクト排出口と、を有するセンサーダクトと、を具え、前記センサーダクト排出口は、重力作用方向上方から下方に向かって、前記モーターダクト排出口、前記センサーダクト排出口、前記モーターダクト吸入口の配置順において、前記モーターダクトに接続されていることを特徴とする。
【発明の効果】
【０００９】
以上の構成によれば、装置サイズの増大を抑制しつつ、原稿を搬送する駆動源となるモーターと画像読取ユニットとの熱の相互作用を低減することが可能となる。
【図面の簡単な説明】
【００１０】
【図１】本発明の一実施形態に係る記録装置を示す外観斜視図である。
【図２】図１に示す記録装置の原稿搬送部が設けられたカバー部材を開いた状態を示す外観斜視図である。
【図３】原稿搬送部の正面とは反対側の後面側の原稿搬送部のみを示す斜視図である。
【図４】原稿搬送部の外装を外した状態の後面側を示す斜視図である。
【図５】原稿搬送部の駆動部を外した状態の後面側を示す斜視図である。
【図６】原稿搬送部をその正面から見た部分断面図である。
【図７】原稿搬送部を後面側から見た断面斜視図である。
【図８】原稿搬送部をその後面側から見た部分断面斜視図である。
【図９】（ａ）および（ｂ）は、図６におけるそれぞれＢ方向矢視の断面およびＣ方向矢視の断面を模式的に示す図である。
【図１０】本発明の第２の実施形態に係る原稿搬送部を正面から見た部分断面図である。
【図１１】第２実施形態の記録装置において原稿搬送部を開いた状態を示す外観斜視図である。
【図１２】（ａ）および（ｂ）は、図１０におけるそれぞれＢ方向矢視の断面およびＣ方向矢視の断面を模式的に示す図である。
【図１３】本発明の第３の実施形態に係る原稿搬送部をその左側面から見た断面模式図である。
【図１４】第３実施形態の原稿搬送部をその後面側から見た断面斜視図である。
【図１５】本発明の第４の実施形態に係る画像読取部の断面を示す図である。
【発明を実施するための形態】
【００１１】
以下、図面を参照して本発明の実施形態を詳細に説明する。  
（第１実施形態）
図１は、本発明の一実施形態に係る記録装置を示す外観斜視図である。図１に示すように、本実施形態の画像読取装置は、大別して、原稿搬送部（以下ＡＤＦと称する）１００、原稿の画像を読取る画像読取部２００および記録部３００を有して構成されている。
【００１２】
図２は、画像読取装置の原稿搬送部１００が設けられたカバー部材を開いた状態を示す外観斜視図である。また、図３は、図１に示す原稿搬送部１００の正面とは反対側の後面側の原稿搬送部のみを示す斜視図である。図４は、原稿搬送部１００の外装を外した状態の後面側を示す斜視図であり、図５は、原稿搬送部１００の駆動部を外した状態の後面側を示す斜視図である。図２〜図５は、特に、後述される本発明の一実施形態に係るセンサーダクトとモーターダクトの通気口の位置を示している。すなわち、これらの図において、１１は、センサーダクトの一端側の開口であり、読取センサーより下方に位置するセンサーダクト吸入口を示し、１２は、センサーダクトの他端側開口であり、読取センサーより上方に位置するセンサーダクト排出口を示している。また、２１は、モーターダクトの一端側開口であり、モーターより下方に位置するモーターダクト吸入口を示し、２２は、モーターダクトの他端側開口であり、モーターより上方に位置するモーターダクト排出口を示している。そして、後述されるように、センサーダクト排出口１２は、重力作用方向上方から下方に向かって、モーターダクト排出口２２、センサーダクト排出口１２、モーターダクト吸入口２１の順序で配置される経路を介してモーターダクトに接続されている。
【００１３】
図６は、原稿搬送部１００をその正面から見た部分断面図であり、図７は、原稿搬送部１００を後面側から見た断面斜視図であり、図８は、原稿搬送部１００をその後面側から見た部分断面斜視図である。また、図９（ａ）および（ｂ）は、図６におけるそれぞれＢ方向矢視の断面およびＣ方向矢視の断面を模式的に示す図であり、特に、本実施形態に係る通気ダクトを示している。
【００１４】
これらの図に示すように、原稿搬送部１００は、原稿搬送路（Ｕターンパス）を備え、この搬送路に沿って、原稿の有無を検出する原稿有無センサー（不図示）、原稿Ｓの先端部及び後端部を検出する原稿エッジセンサー（不図示）等が取り付けられた構成となっている。
【００１５】
主に図６に示すように、原稿搬送部１００には、Ｕターンパスの上流端側に接続するように原稿載置トレイ５０が設けられ、Ｕターンパスの下流端側に原稿排出トレイ５５が設けられている。また、Ｕターンパスの上流端側には、積載された原稿Ｓの最上位のものに当接してこれをピックアップするピックアップローラー５１が設けられている。ピックアップローラー５１によりピックアップされた原稿Ｓを分離して１枚のシートとするための、互いに圧接した分離ローラー５２及び分離パッドが設けられている。Ｕターンパスの中ほどには搬送ローラー対５３が、下流端側には、原稿Ｓを原稿排出トレイ５５に排出するための排紙ローラー対５４が設けられている。原稿搬送部１００は、記録装置本体に対して、後部に配設された、回動軸を構成する、ばねダンパ入りヒンジ１０１、１０２（図２参照）によって回動可能で、開閉可能に配設されている。
【００１６】
密着型イメージセンサー（以下ＣＩＳと記載）３ｂが、ＡＤＦガラス２０２と排紙ローラー対５４の中間に固定配設され、原稿Ｓの裏面側を読み取る。このＣＩＳ３ｂのＬＥＤが発生した熱は、後述されるようにセンサーダクトによって機外へ排出される。このＣＩＳは、複数のセンサー素子と、光源としてＬＥＤとこれから発した光をセンサー素子の配列方向に導いて原稿のそれぞれの箇所を照射するための導光部材を有して構成されるものである。
【００１７】
ブック画像読取部２００は、読取ガラス上に置かれた原稿の画像を読取る。読取センサーとして、上述のＣＩＳ３ｂと同じく密着型イメージセンサーであるＣＩＳ３ａが、原稿搬送部１００に対して上記ガラスを介して配置される。ＣＩＳ３ａは搭載されたＬＥＤから原稿Ｓの画像情報面に光を照射し、画像情報面で反射した反射光を自己集束型ロッドレンズアレイでセンサー素子に結像し画像情報を読取るものである。このＣＩＳ３ａは、図６において左右方向に移動可能に構成され、ブック画像読取（フラットベッドスキャン）時は、図中の左側から右側に走査しつつ読取ガラス上に載置された原稿を読取る。原稿搬送部１００で読取る場合は、ＣＩＳ３ａが、読取位置に搬送されてくる原稿ＳをＡＤＦガラス２０２を介して読取る。
【００１８】
駆動モーター４は、ＤＣモーターであり、そのモーター軸上には検出スリットパターンが印刷されたコードホイールフィルムが設けられている。また、検出スリットパターンを検出するロータリーエンコーダが設けられ、これにより、モーターの回転量を検出し、また、エンコーダからのパルス信号によって回転制御を行うことができる。駆動モーター４の駆動力はギアホルダー６のギア列によりピックアップローラー５１、分離ローラー５２、搬送ローラー対５３と排紙ローラー対５４に伝えられる。この構成により、原稿Ｓの読取に使用される総てのローラーを装置背面側にあるギア列により回転させることができる。
【００１９】
操作者が操作部（不図示）を介して読取開始を指示すると、駆動モーター４が回転する。連動してピックアップローラー５１、分離ローラー５２が回転するとともに両ローラーを支持するピックアップアーム（不図示）が下がりピックアップローラー５１が原稿Ｓに押圧される。ピックアップローラー５１の回転によって原稿ＳがＵターンパスの内部へと送り込まれる。このとき、原稿搬送部１００では、分離ローラー５２及び分離パッドによって原稿Ｓが１枚ずつに分離され、最上位の原稿Ｓが分離搬送される。また、分離された原稿ＳがＵターンパスに沿って搬送され、さらに搬送ローラー対５３によってその原稿ＳがＣＩＳ３ａによる読取部へ搬送される。分離ローラー５２は搬送ローラー対５３と排紙ローラー対５４より遅い周速で回転するようになっており、駆動モーター４を連続回転させると１枚目の原稿Ｓと２枚目の原稿Ｓの間に所定量の間隔が開くようにしている。
【００２０】
以上の動作によって、原稿搬送部１００により搬送される原稿Ｓの読取動作について、片面原稿読取動作と同時両面読取動作の２通りの読取動作を設定することができる。すなわち、片面原稿読取は、原稿搬送を実行しながらＣＩＳ３ａだけで読取実行し、一方、両面原稿読取は、原稿搬送を実行しながらＣＩＳ３ａおよびＣＩＳ３ｂの両方で同時に読取りを実行する。
【００２１】
次に、本発明の第１の実施形態に係る、原稿Ｓの裏面を読み取るためのＣＩＳ３ｂと駆動モーター４の配置、およびそれに基づいた、それぞれから発生する熱の排出構成について説明する。
【００２２】
原稿搬送部１００内に配設されたＣＩＳ３ｂは、原稿Ｓの幅方向に延在するものである。特に、図６および図９（ａ）および（ｂ）に示すように、このＣＩＳ３ｂに対して、周囲の内壁によってセンサーダクト１が構成される。そして、センサーダクト１は、その一端側には、ＣＩＳ３ｂより下方に位置するセンサーダクト吸入口１１、他端側にはＣＩＳ３ｂより上方に位置するセンサーダクト排出口１２を有している。センサーダクト１は、例えば、図８に示されるように、周囲の内壁を構成する、原稿搬送部１００の構成部品であるＤＦフレーム７、ＤＦベース８、センサーダクトフレーム１９によって形成される。特に、センサーダクトフレーム１９については、その上壁面が、図９（ａ）および（ｂ）に示されるように、センサーダクト吸入口１１からセンサーダクト排出口１２に向けて、上方に向かう緩やかな勾配が設けられている。これにより、センサーダクト吸入口１１から流入する空気流はＣＩＳ３ｂからの排熱により温められて、センサーダクトの上面の傾斜勾配に沿ってセンサーダクト排出口１２に向けて流れることになる。これにより、ＣＩＳ３ｂの長手方向の温度分布均一化が促進される。
【００２３】
モーターダクト２は、図３、図４、図５、図６のいずれかに示される、ギアホルダー６、ＤＦフレーム７、ＤＦベース８、センサーダクトフレーム１９、ＤＦリアカバー１０３によって、周囲の内壁が構成される。モーターダクト２の一端側には駆動モーター４より下方のＤＦベース８に設けられたモーターダクト吸入口２１、他端側にはモーター４より上方のＤＦリアカバー１０３に設けられたモーターダクト排出口２２が配されている。これにより、駆動モーター４の直下にあるモーターダクト吸入口２１から流入する空気流は駆動モーター４からの排熱によって温められて鉛直上方への流れを生じ、上方に配されたモーターダクト排出口２２から排出される。これにより、駆動モーター４の温度上昇を抑制することができる。
【００２４】
さらに、センサーダクト排出口１２は、重力作用方向上方から下方に向かって、モーターダクト排出口２２、センサーダクト排出口１２、モーターダクト吸入口２１の配置順の経路においてモーターダクト２に接続されている。駆動モーター４から発生した排熱により生じた上方への空気流は、接続されたセンサーダクト１に対して負圧として作用し、センサーダクト１内の空気流をより多くする効果が得られる。これにより、ＣＩＳ３ｂの長手方向の温度分布均一化についてさらなる促進が行われる。ＣＩＳ３ｂ内の熱源は光源となるＬＥＤ素子であるが、通常は長手方向の片側に配置されて、導光体により長手方向に導光する構成となっている。
【００２５】
例えば、ＬＥＤ素子をセンサーダクト吸入口１１側に配置した場合は、排熱は空気流に沿ってＣＩＳ３ｂの長手方向に伝達されることにより全体の温度分布均一化が行われる。すなわち、排熱によりＣＩＳ３ｂ全体を温度上昇させる方向での均一化を図ることになる。逆に、ＬＥＤ素子をセンサーダクト排出口１２側に配置した場合は、発生した熱は隣接するセンサーダクト排出口１２に速やかに伝達され、全体の温度分布均一化が行われる。この場合は、熱がＣＩＳ３ｂ全体に及ぼす影響は小さいため、全体を雰囲気温度に近い値に維持する方向での均一化を図ることになる。いずれの場合もＣＩＳ３ｂの温度均一化に対して有効であることは同様である。センサーダクト吸入口１１、モーターダクト吸入口２１の開口部は、回動動作に対して接線方向にダクトが延在して開口を形成しているため、より有効に回動動作を空気流形成に変換できる。
【００２６】
また、図２に示したように、原稿搬送部１００を開閉可能であり、ブック画像読取部を使用する場合の原稿設置動作にともなって、センサーダクト１、モーターダクト２内の空気をリフレッシュすることができる。すなわち、センサーダクト吸入口１１、モーターダクト吸入口２１はヒンジ１０１、１０２を中心に回動し、開く場合にはセンサーダクト吸入口１１、モーターダクト吸入口２１には負圧が作用し、上記動作時の空気流とは逆方向に流れが生じる。閉じる場合には、センサーダクト吸入口１１、モーターダクト吸入口２１には負圧が作用し、前記動作時の空気流とは同方向に流れが生じる。このように回動動作における接線方向に延在する部位を有することで開閉動作をセンサーダクト１、モーターダクト２内の排熱処理の一助とすることができる。
【００２７】
（第２実施形態）
図１０は、本発明の第２の実施形態に係る原稿搬送部を正面から見た部分断面図、図１１は、第２実施形態の記録装置において原稿搬送部を開いた状態を示す外観斜視図である。また、図１２（ａ）および（ｂ）は、図１０におけるそれぞれＢ方向矢視の断面およびＣ方向矢視の断面を模式的に示す図であり、特に、本実施形態に係る通気ダクトを示している。
【００２８】
本実施形態は、原稿搬送部１００の駆動モーター４の配置が、上述した第１実施形態と異なる。すなわち、原稿搬送部１００の原稿搬送路（Ｕターンパス）内にある空間を利用して、その内部をダクト壁面として利用するものである。前述のように駆動モーター４はＤＣモーターであり、軸方向に延在してモーターを保持する筐体部を有していることから、空間利用効率を高めることができ、装置の小型化にも寄与できるものである。また、図１１に示すように、センサーダクト吸入口１１、モーターダクト吸入口２１は、原稿搬送部１００の回動動作時には同一円弧の軌跡を描くため、動作に伴う空気流は同一の位相で空気流を促進できる。本実施形態では駆動モーター４の筐体部とＣＩＳ３ｂが並列する形態となるため、重畳する部位の壁面厚さを増やすなどして、熱輻射や熱伝導による影響を排除することによって、第１実施形態と同様の効果を得ることができる。加えて、センサーダクト１、モーターダクト２を形成する壁面の一部を金属材料など熱伝導率の高い素材を用いることにより、両ダクトの温度差をより短時間で飽和させることにより排熱処理の短時間化を図ることもできる。
【００２９】
（第３実施形態）
図１３は、本発明の第３の実施形態に係る原稿搬送部をその左側面から見た断面模式図であり、図１４は、第３実施形態の原稿搬送部をその後面側から見た断面斜視図である。各図を通して同一符号は、同一又は対応する要素示すものである。
【００３０】
本実施形態は、センサーダクト排出口１２に、センサーダクト１との間の通気を遮蔽可能な開閉弁３０、および弁の開閉切換部４０を備えたものである。例えば、開閉弁３０はＤＦフレーム７に対して回転可能に支持された板状部材で、センサーダクト排出口１２の外形と概ね一致した形状を有した弁部材である。また、開閉切換部４０は開閉弁３０にスライド軸の一端を係止されたソレノイド駆動源で通電の有無によってスライド軸の位置が変わり、これによって、係止部の位置を切り替えることができる。前述のように、画像読取動作には片面読取モードと両面読取モードがあり、例えば、操作者の選択によって切換が可能となっている。各読取モードにおいては、ＣＩＳ３ｂの駆動、非駆動の違いがあり、片面読取時にはＣＩＳ３ｂは駆動しないため、ＣＩＳ３ｂからの排熱はなく、駆動モーター４の排熱処理のみが必要となる。また、両面読取モードでは、ＣＩＳ３ｂが駆動されるため、ＣＩＳ３ｂならびに駆動モーター４の両方の排熱処理が必要となる。
【００３１】
以上の構成によって、片面読取モードが選択された場合は開閉切換部４０を動作させて、図１４に示すように開閉弁３０を閉状態としてセンサーダクト１を遮蔽し、モーターダクト２のみの排熱空気流を形成する。また、両面読取モードが選択された場合は、開閉切換部４０を動作させて、開閉弁３０を開状態としてセンサーダクト１を開放し、センサーダクト１、モーターダクト２の両方の相互作用を利用した排熱空気流を形成させる。
【００３２】
以上のような動作によって、読取モードに応じた最適の空気流形成が可能となり、より有効な排熱処理ができるものである。
【００３３】
（第４実施形態）
図１５は、本発明の第４の実施形態に係る画像読取部の断面を示す図であり、特に、本実施形態に係る通気ダクトを示している。
【００３４】
本実施形態の通気ダクトの形態は、第２実施形態に係るセンサーダクト排出口１２の部分に開閉弁３０を設けたものである。また、この開閉弁３０の弁駆動を行う切換部４０が設けられる。この開閉弁の動作は、第３実施形態と同様であり、片面読取モードが選択された場合は開閉切換手段４０を動作させ、開閉弁３０を閉状態とする。これにより、センサーダクト１を遮蔽しモーターダクト２のみの排熱空気流を形成する。また、両面読取モードが選択された場合は、開閉弁３０を開状態として、センサーダクト１を開放してセンサーダクト１およびモーターダクト２の両方を利用した排熱空気流を形成するものである。
【００３５】
（他の実施形態）
なお、上述した各実施形態の読取りユニットは、センサー素子の他、原稿を照射するための光源を備えるものとしたが、本発明の適用はこの形態に限れない。モーターの熱の影響を受けるセンサー素子がセンサーダクトに収納されて、上述した各実施形態の作用を奏するようにしてもよい。すなわち、光源はセンサーダクトに収納されずに、原稿で反射した光源からの光がセンサーダクト内のセンサー素子に入射するような構成であってもよい。
【００３６】
また、上述した各実施形態では、読取ユニットとしてＣＩＳ３ｂおよびＣＩＳ３ｂを２つ備えて両面読取りが可能な形態を示したが、本発明の適用はこの形態に限られないことはもちろんである。本発明は、上述の各実施形態で示したように、モーターとその近傍に配される、光源を含んだ１つの読取ユニット（ＣＩＳ３ｂ）との関係に適用することができる。
【００３７】
さらに、上述の各実施形態は、記録部を備えた画像読取装置に形態に関するものであるが、本発明の適用はこの形態に限られないことはもちろんである。例えば、記録部を備えずに原稿画像の読取りを行うスキャナなどの画像読取装置に本発明を適用できることもできる。
【符号の説明】
【００３８】
１    センサーダクト
２    モーターダクト
３ａ    ＣＩＳ（密着型イメージセンサー）
３ｂ    ＣＩＳ（密着型イメージセンサー）
４    駆動モーター
７    ＤＦフレーム
８    ＤＦベース
１１    センサーダクト吸入口
１２    センサーダクト排出口
１９    センサーダクトフレーム
２１    モーターダクト吸入口
２２    モーターダクト排出口            
３０    開閉弁
４０    切換手段
１００    原稿搬送部
２００    ブック画像読取部
３００    記録部
【図１】
2015041964.tif 000003
【図２】
2015041964.tif 000004
【図３】
2015041964.tif 000005
【図４】
2015041964.tif 000006
【図５】
2015041964.tif 000007
【図６】
2015041964.tif 000008
【図７】
2015041964.tif 000009
【図８】
2015041964.tif 000010
【図９】
2015041964.tif 000011
【図１０】
2015041964.tif 000012
【図１１】
2015041964.tif 000013
【図１２】
2015041964.tif 000014
【図１３】
2015041964.tif 000015
【図１４】
2015041964.tif 000016
【図１５】
2015041964.tif 000017